(57)【要約】【課題】簡易な構成で洗浄槽内水温の検出を的確に行えるようにする。【解決手段】食器類３を洗浄、乾燥するための容器にあたる洗浄槽４の下方に、洗浄水を加熱する湯沸かし用ヒータ１５が配置されて下向に窪む水溜部４ｃを形成し、水溜部４ｃ内には洗浄ポンプ８の吸込口４ｄを接続するとともに洗浄槽４と一体に隆起部４ｅを形成し、隆起部４ｅ内に温度検出手段９を配置して、洗浄槽内水温を温度検出手段９の全周面で検出できるようにする。【選択図】図１
2008183190.tif 000002
【特許請求の範囲】
【請求項１】
食器類を洗浄、乾燥するための洗浄槽と、
洗浄水を加圧する洗浄ポンプと、
加圧された洗浄水を噴射するノズルと、
洗浄水を加熱する湯沸かし用ヒータが配置されて前記洗浄槽の下方に下向に窪むように形成された水溜部と、
前記水溜部内に接続された前記洗浄ポンプの吸込口と、
前記水溜部内に前記洗浄槽と一体形成された隆起部と、
前記隆起部内に配置されて保持手段により固定された温度検出手段と、
を備えることを特徴とする食器洗浄機。
【請求項２】
前記隆起部を、前記吸込口の近傍に配置したことを特徴とする請求項１記載の食器洗浄機。
【請求項３】
前記隆起部を、前記吸込口の軸線上に配置したことを特徴とする請求項２記載の食器洗浄機。
【請求項４】
前記保持手段は、断熱材から構成されてなることを特徴とする請求項１乃至請求項３のいずれかに記載の食器洗浄機。
【請求項５】
前記隆起部の内面と前記温度検出手段間の隙間を、熱伝導率の高い充填材で埋めたことを特徴とする請求項１乃至請求項４のいずれかに記載の食器洗浄機。
【請求項６】
乾燥用ヒータを更に有し、乾燥時には、該乾燥用ヒータに通電し、前記湯沸かし用ヒータには通電しないことを特徴とする請求項１乃至請求項５のいずれかに記載の食器洗浄機。
【発明の詳細な説明】
【技術分野】
【０００１】
本発明は、簡易な構成で洗浄槽内水温の検出を的確に行える食器洗浄機に関するものである。
【背景技術】
【０００２】
従来、この種の食器洗浄機は、洗浄槽内の水温を検出する水温検出手段を、洗浄槽を貫通させて設け、この水温検出手段にて加熱手段による洗浄槽内の加熱の温度制御を行うようにしている。さらに、乾燥工程時の温度制御のために洗浄槽内温度を検出する温度検出手段を洗浄槽の外壁面に別途配設し、洗浄工程やすすぎ工程によって温度検出手段が濡れてしまうのを防止し、水滴が問題となる誤動作を抑制できるようにしている（例えば、特許文献１参照）。
【０００３】
また、湯沸かし用ヒータを設け、洗浄水や乾燥空気の加熱時に湯沸かし用ヒータに通電するようにしているが、誤動作等によって水溜部が空のときにそれよりも負荷の大きい洗浄水加熱時と同様の通電が行われると温度が異常に高くなるので、サーモスタットや温度ヒューズ等の温度上昇防止手段を設け、これによって過度の温度上昇を抑えるようにしている。
【０００４】
【特許文献１】特開平６−１０５７８９号公報（図１）
【発明の開示】
【発明が解決しようとする課題】
【０００５】
しかしながら、前述のように水温を検出する水温検出手段を、洗浄槽を貫通させて設けたものにあっては、水温検出手段貫通箇所からの水漏れを防止するシール構造が不可欠になって、部品点数の増加を招くだけでなく、水漏れ信頼性の問題も存在していた。
【０００６】
また、洗浄槽内温度を検出する温度検出手段を、洗浄槽の平坦な外壁面に直接装着しているため、洗浄槽の温度をその外壁面と接触する一部分でしか検知できず、さらに外気温度の影響を受けやすく、温度検出の信頼性に問題があった。
【０００７】
本発明の技術的課題は、簡易な構成で洗浄槽内水温の検出を的確に行えるようにすることにある。
【課題を解決するための手段】
【０００８】
本発明に係る食器洗浄機は、食器類を洗浄、乾燥するための洗浄槽と、洗浄水を加圧する洗浄ポンプと、加圧された洗浄水を噴射するノズルと、洗浄水を加熱する湯沸かし用ヒータが配置されて洗浄槽の下方に下向に窪むように形成された水溜部と、水溜部内に接続された洗浄ポンプの吸込口と、水溜部内に洗浄槽と一体形成された隆起部と、隆起部内に配置されて保持手段により固定された温度検出手段と、を備えたものである。
【発明の効果】
【０００９】
本発明の食器洗浄機によれば、水溜部内に洗浄槽と一体に隆起部を形成し、隆起部内に温度検出手段を配置しているので、水漏れの要因となるシール構造が不要で、かつ洗浄槽内水温を温度検出手段の全周面で検出することができ、洗浄槽内水温検知を正確に行うことができる。
【発明を実施するための最良の形態】
【００１０】
実施の形態１．
以下、図示実施形態により本発明を説明する。
図１は本発明の実施の形態１に係る食器洗浄機の全体構成を示す縦断面図、図２はその水溜部を示す図１のＡ−Ａ線矢視断面図、図３は図２のＢ−Ｂ線矢視断面図である。
【００１１】
図１乃至図３のように本実施の形態の食器洗浄機１は、外殻にあたる筐体２と、筐体２の内部に設けられ食器類３を収容して洗浄、乾燥するための容器である洗浄槽４と、洗浄槽４の上方開口部を閉塞する蓋体５と、操作部を有し洗浄槽４の前方に取り付けられた意匠部品からなるドア６と、その他、多くの機能部品（図示せず）から構成されている。
【００１２】
洗浄槽４の後面には、食器類３の乾燥時の洗浄槽内への空気の吹出し口となる槽送風口４ａが形成されており、その外側には、空気を洗浄槽内部に送り込むための乾燥ユニット１０が取り付けられている。乾燥ユニット１０は、機外の空気を空気取入口２ａより取り込んで洗浄槽４内に供給するための乾燥用送風機１１と、乾燥用送風機１１を収容し空気を整流する風路となるケーシング１２と、から構成されている。
【００１３】
また、洗浄槽４の前面には、洗浄槽４の内部に生じた高温湿潤空気を排出するための槽排気口４ｂが設けられているとともに、ドア６の上方に、その高温湿潤空気を機外へ排出するための排気口６ａが形成され、これら排気口４ｂ，６ａの間に、これらを連結する風路を構成する排気ユニット２０が設けられている。
【００１４】
また、洗浄槽４の底面の前部には、この洗浄槽４と一体でその底面から凹陥する水溜部４ｃが形成されている。水溜部４ｃは、ノズル７よりも低位置にあり、洗浄水が集まって溜まるようになっている。
【００１５】
また、水溜部４ｃには、その後面に洗浄ポンプ８の吸込口４ｄが接続されているとともに、その底部における吸込口４ｄ近傍で、この吸込口４ｄの軸線上に、水溜部４ｃすなわち洗浄槽４と一体で当該水溜部４ｃの底部から隆起する隆起部４ｅが形成され、隆起部４ｅ内に温度検出手段９が設置されている。さらに、隆起部４ｅの下部開口が、合成樹脂や断熱性の高い断熱材から構成された保持手段である保持部材１３によって塞がれ、これによって隆起部４ｅ内から温度検出手段９が脱落するのが防止され、温度検出手段９が隆起部４ｅ内に固定されるようになっている。さらにまた、温度検出手段９と隆起部４ｅ内面との間の間隙に、熱伝導率の高い充填材、例えばグリース１４が充填されている。そして、隆起部４ｅは、その温度検出手段９が収容されている部分のほぼ全面が水溜部４ｃ内に収まるように構成されている。また、水溜部４ｃ内空間に水平に延出する湯沸かし用ヒータ１５が、水溜部４ｃの吸込口４ｄと対向する壁面（水溜部前面）に取り付けられている。なお、隆起部４ｅの肉厚は洗浄槽４の他の部位よりも薄肉に形成されることが好ましく、このようにすることで、温度検出の応答性が向上する。
【００１６】
また、洗浄槽４内には、食器類３を設置するための食器かご１６が収納されているとともに、洗浄槽４の後方に給水弁１７が、洗浄槽４の前方のドア６内に制御装置１８が、洗浄槽４の下方に排水ポンプ１９が、それぞれ収納され、洗浄槽４の水溜部４ｃの前壁部に、水位検知装置２１が取り付けられている。
【００１７】
また、なんらかの要因で湯沸かし用ヒータ１５が空炊き状態になり、水溜部４ｃが異常に高い温度になるような異常時には、ステンレスの鋼板で作られた射熱板などを隆起部４ｅと湯沸かし用ヒータ１５との間に嵌め込ませて、隆起部４ｅと温度検出手段９とを湯沸かし用ヒータ１５からの輻射熱より保護する安全装置（図示せず）が設けられている。
【００１８】
次に、本実施形態の食器洗浄機により食器類を洗浄、乾燥する場合の動作について図１乃至図３に基づき説明する。まず、食器かご１６に洗浄、乾燥したい食器類３を収納し、その近傍に適量の洗剤を入れ、ドア６を閉じる。次いで、ドア６に設置されている操作部（図示せず）内の運転スイッチを押し、機器の動作を開始させる。なお、動作については制御装置１８が司り、その命令により各機能部品を動作させ、洗浄工程、複数のすすぎ工程、乾燥工程の順に進行させていくものである。
【００１９】
洗浄工程が開始されると、まず給水弁１７を開き、洗浄槽４内への給水を行う。このとき、洗浄槽４内の水位は、水位検知装置２１にて監視されており、所定の水位に達したことを検知すると、給水弁１７を閉じる。次いで、湯沸かし用ヒータ１５に通電し、貯えられた洗浄水を所定の温度に加熱するとともに、洗浄ポンプ８に通電し、その洗浄水に圧力を与え、ノズル７を利用し食器類３に噴きかける。なお、洗浄は貯えられた洗浄水を循環しながら行うもので、洗浄槽４内の底部へ落下した洗浄水を集め、再び洗浄ポンプ８にて圧力を与え、ノズル７を利用し食器類３に噴きかけることを繰り返すものである。
【００２０】
洗浄工程が開始され、所定の時間が経過すると、湯沸かし用ヒータ１５、洗浄ポンプ８の通電を停止するとともに、排水ポンプ１９に通電し、洗浄槽４内に貯えられた洗浄水を外部に排水する。これにより、洗浄工程が終了する。
【００２１】
次に、すすぎ工程が開始されるが、基本的な動作はほぼ洗浄工程と同様である。まず、給水弁１７を開き、洗浄槽４内への給水を行い、水位検知装置２１にて所定の水位に達したことを検知すると、給水弁１７を閉じる。次いで、洗浄ポンプ８に通電し、そのすすぎ水に圧力を与え、ノズル７を利用し食器類３に噴きかける。
そして、所定の時間が経過すると、洗浄ポンプ８の通電を停止すると共に、排水ポンプ１９に通電し、洗浄槽４内に貯えられたすすぎ水を外部に排水する。このようなすすぎ工程は、通常、複数回繰り返される。
【００２２】
前記のような洗浄、すすぎ工程が完了すると、最後の工程である乾燥工程が開始される。まず、乾燥用送風機１１に通電し、空気に圧力を与え、槽送風口４ａから食器類３に噴きかける。その際、湯沸かし用ヒータ１５に適時通電して洗浄槽４内を加熱する。そして、槽送風口４ａから送り込まれた送風は、洗浄槽４の内部を通過し、槽排気口４ｂから排気ユニット２０に入り、排気口６ａから機外へ排出される。
【００２３】
上述した全ての運転が、温度検出手段９にて検出した温度に基づいて制御装置１８により行われ、適切に湯沸かし用ヒータ１５を制御している。
【００２４】
このように、本実施の形態においては、洗浄槽４の下方に下向に窪むように形成されて洗浄水を加熱する湯沸かし用ヒータ１５が設置されかつ洗浄ポンプ８の吸込口４ｄが接続された水溜部４ｃに、隆起部４ｅを一体形成し、隆起部４ｅ内に温度検出手段９を配置し、温度検出手段９を洗浄槽４外部で保持手段１３により固定するようにしているので、水漏れの要因となるシール構造を不要にでき、かつ隆起部４ｅを介して洗浄槽内水温を温度検出手段９の全周面で検出することができる。このため、部品点数を削減することが可能となって、その分コストを抑えることができ、さらに温度検出手段９への水滴付着がなく、洗浄槽４内の水温検知を正確に行うことができる。
【００２５】
また、隆起部４ｅを循環水が多く通過する洗浄ポンプ８の吸込口４ｄの近傍に配置しているので、正確な水温検知を行うことができる。
【００２６】
また、隆起部４ｅを洗浄槽４内でよどみなく最も循環水が多く通過する吸込口４ｄの軸線上に配置しているので、より正確な水温検知を行うことができる。
【００２７】
また、隆起部４ｅ内からの温度検出手段９の脱落を防止する保持手段である保持部材１３を、合成樹脂や断熱性の高い断熱材から構成しているので、温度検出手段９が外気の温度影響を受け難くなって、水温検知精度を一層向上させることができる。
【００２８】
また、隆起部４ｅの内面と温度検出手段９間の隙間を、熱伝導率の高い充填材であるグリース１４で埋めたので、温度検出手段９への熱の伝わりが速くなって温度変化に対する応答性が向上する。このため、加熱開始時や加熱停止時のオーバーシュートを確実に防止することができる。
【００２９】
実施の形態２．
図４は本発明の実施の形態２に係る食器洗浄機の水溜部を示す図１のＡ−Ａ線矢視断面相当図であり、図中、前述の実施の形態１のものと同一部分には同一符号を付してある。
【００３０】
本実施の形態の食器洗浄機は、隆起部４Ｅが洗浄ポンプ８の吸込口４ｄの一部を構成するように設けられている点が、前述の実施の形態１と異なっており、それ以外の構成は実施の形態１と同様である。
【００３１】
本実施の形態においては、隆起部４Ｅの位置が洗浄ポンプ８に引き込まれる水の流れの層流部の中に配置されていないが、隆起部４Ｅが洗浄ポンプ８の吸込口４ｄの一部を構成するように設けているので、水が隆起部４Ｅの表面をよどみなく通過する。このため、洗浄ポンプ８の効率低下を招くことなく、正確な水温検知を行うことができる。
【００３２】
実施の形態３．
図５は本発明の実施の形態２に係る食器洗浄機の全体構成を示す縦断面図であり、図中、前述の実施の形態１のものと同一部分には同一符号を付してある。
【００３３】
本実施の形態の食器洗浄機は、湯沸かし用ヒータ１５とは別に乾燥時に洗浄槽内部に送り込む空気を温風にするための乾燥用ヒータ３１を設け、乾燥時には該乾燥用ヒータ３１に通電し、湯沸かし用ヒータ１５には通電しないように構成した点が、前述の実施の形態１と異なっており、それ以外の構成は実施の形態１と同様である。なお、水溜部４ｃ及び隆起部４ｅの形態は、ここでは前述の実施の形態１のものを例に挙げて図示しているが、これに限るものでなく、前述の実施の形態２の水溜部４ｃ及び隆起部４Ｅも採用可能であることは言うまでもない。
【００３４】
本実施の形態においては、湯沸かし用ヒータ１５とは別に乾燥用ヒータ３１を設けることで、湯沸かし用ヒータ１５には乾燥時に通電する必要がなくなって、乾燥時の湯沸かし用ヒータ１５の輻射熱による熱損傷劣化等の問題が解消され、湯沸かし用ヒータ１５による隆起部４ｅへの直接的影響を回避することが可能となり、水温検出の精度をさらに向上させることができる。このため、隆起部４ｅ（又は４Ｅ）をより湯沸かし用ヒータ１５の近傍に配置することも、また隆起部４ｅ（又は４Ｅ）を薄肉形成することも可能となり、設計的自由度が拡大する。
【図面の簡単な説明】
【００３５】
【図１】本発明の実施の形態１に係る食器洗浄機の全体構成を示す縦断面図である。
【図２】本発明の実施の形態１に係る食器洗浄機の水溜部を示す図１のＡ−Ａ線矢視断面図である。
【図３】本発明の実施の形態１に係る食器洗浄機の水溜部を示す図２のＢ−Ｂ線矢視断面図である。
【図４】本発明の実施の形態２に係る食器洗浄機の水溜部を示す図１のＡ−Ａ線矢視断面相当図である。
【図５】本発明の実施の形態３に係る食器洗浄機の全体構成を示す縦断面図である。
【符号の説明】
【００３６】
１  食器洗浄機、３  食器類、４  洗浄槽、４ｃ  水溜部、４ｄ  洗浄ポンプの吸込口、４ｅ，４Ｅ  隆起部、７  ノズル、８  洗浄ポンプ、９  温度検出手段、１３  保持部材（保持手段）、１４  グリース（熱伝導率の高い充填材）、１５  湯沸かし用ヒータ、３１  乾燥用ヒータ。
【図１】
2008183190.tif 000003
【図２】
2008183190.tif 000004
【図３】
2008183190.tif 000005
【図４】
2008183190.tif 000006
【図５】
2008183190.tif 000007